(57)【特許請求の範囲】
【請求項１】
上側の辺に下実を設け下側の辺に上実と上実根端内側を奥に切欠いてその内側に内実とを設け、左右方向の一辺に下実を設け他辺に上実とを設けた四辺相抉り加工を施した建築板の複数枚を下地に取付けた接合金具によって接合しつゝ上下左右に張設する場合、該接合金具は基台と、該基台上に立設される止め板と、該止め板の両側に庇部を差出しその下側に形成される実嵌合部とからなり、上下に相隣合う一対の建築板は内実と下実とを夫々該接合金具の止め板両側の実嵌合部に嵌合しかつ上実と下実とを重ね合わせることによって接合され、少なくとも上下左右で相隣合う四枚の建築板の中心交角接合点における接合金具の内実嵌合部からは接合される一対の建築板の下実と上実との間に介在する遮水シートを差出したことを特徴とする建築板の接合構造
【請求項２】
該建築板の接合部分において、該上実と下実との間にはコーキング材が介在している請求項１に記載の建築板の接合構造
【請求項３】
該遮水シートの先端は該建築板の下実根端にまで達している請求項１または２に記載の建築板の接合構造
【請求項４】
該遮水シートの根端部は接着剤によって該接合金具の内実嵌合部に接着されている請求項１または２または３に記載の建築板の接合構造
【請求項５】
該遮水シートの裏側には、根端部が該接合金具の内実嵌合部内側形状に沿った形状の係合板が接着されている請求項１または２または３に記載の建築板の接合構造
【請求項６】
該遮水シートの根端部は該接合金具の上実側の内実嵌合部内側形状に沿った形状に成形されている請求項１または２または３に記載の建築板の接合構造
【請求項７】
該遮水シートの表面には再湿型接着剤が塗布されている請求項１または２または３または４または５または６に記載の建築板の接合構造
【発明の詳細な説明】
【０００１】
【発明の属する技術分野】
本発明は例えば外装材として使用される四辺相抉り加工が施された建築板の接合構造に関するものである。
【０００２】
【従来の技術】
従来は図９に示すように、横張り外壁構造に使用される横長な外装材(1) は、例えば繊維補強セメント板からなり、上下長辺のみに相抉り加工が施されている。即ち該外装材(1) の上辺には段部(2) を介して下実(3)が設けられており、下辺には上実(4) および該上実(4) の根端下側を奥に切欠いてその下側に内実(5) が設けられている。
【０００３】
このような外装材(1)によって横張り外壁構造を構築するには、図１０に示すような接合金具(6) を使用して該外装材(1) を下地に固定しかつ該外装材(1) 相互を接合して行く。該接合金具(6) は台形状の基台(7) と、該基台(7) 上に立設される止め板(8) と、該止め板(8) の上縁から両側に差出される庇部(9A,9B) と、該止め板(8) の該庇部(9A,9B) とによって該止め板(8) の両側に形成される実嵌合部(10A,10B) とからなる。そして図１１に示すように下段の外装材(1) の上辺の下実(3) を該接合金具(6) の下側の実嵌合部（下実嵌合部）(10A) に嵌合すると共に、該接合金具(6) を基台(7) 上部の釘孔(11)を介して透湿防水シート(12)を表面に被着した下地材(13)に釘(14)によって固定する。そして上側の外装材(1) の内実(5) を該接合金具(6) の上側の実嵌合部（上実嵌合部）(10B) に嵌合し、該上側の外装材(1)の上実(4) を該下側の外装材(1) の下実(3) 上に重ね合わせるが、該上実(4) と該下実(3) との間にはコーキング材(15)を介在させる。
【０００４】
上記横張り外壁構造においては、外装材(1) の左右の接合部分では、図１２に示すように左右の外装材(1) の接合部間隙の奥側にバックアップ材(16)を当接し、該バックアップ材(16)の表側にコーキング材(17)を充填する。
【０００５】
【従来の技術】
このような横張り外壁構造では、上下の外装材(1) の接合部分には上記接合金具を使用した相抉り接合構造が適用され、接合された外装材(1) の表面は相互密接するが、相抉り加工が施されていない左右の外装材（建築板）(1) の接合部分にはコーキング材(17)が露出するから、外壁構造の見栄えが悪くなる。
そこで最近では図１３に示すように四辺を相抉り加工した建築板(1A)が提供されている。図１３に示す外装材(1A)では、上辺と右辺とに段部(2) を介して下実(3) が設けられており、下辺には上実(4) と内実(5) とが設けられており、左辺には上実(4) が設けられている。
【０００６】
上記建築板(1A)は従来の建築板(1) と同様に接合金具(6) を使用して下地材(13)に接合固定され、上実(4) と下実(3) との間にはコーキング材(15)が介在せしめられる。しかし上記建築板(1A)においては左右の建築板(1) の接合部分も上下の建築板(1) の接合部分と同様に相抉り接合構造が適用されるから、上下方向の接合部分のみならず左右方向の接合部分においても、接合された外装材(1) の表面は相互密接し、外壁構造の見栄えは従来の建築板(1) を使用した場合よりも格段に向上する。
【０００７】
【発明が解決しようとする課題】
上記四辺相抉り加工した建築板(1A)にあっては、図１４に示すように上下左右で相隣り合う四枚の建築板(1A)の中心交角接合点Ｐにおいて接合金具(6) によって接合固定され、更に横方向には長尺な建築板(1A)の場合には、相隣り合う二個の中心交角接合点Ｐの中間部においても、該接合金具(6) によって固定される。しかしながら例えば図１５に示す左上側の建築板(1A)と右上側の建築板(1A)の接合部の継目Ｓから浸入した雨水は、図１５矢印イに示すように左上側の建築板(1A)の下実(3) 上を流下し、接合金具(6) の内実側（上側）の実嵌合部(10B) に至って該接合金具(6) の止め板(8) によって矢印ロ、ハに示すように左右に分散され、上側の建築板(1A,1A) の内実(5,5) 端縁と下側の建築板(1A,1A) の下実(3,3) の端縁との間の隙間Ｏから建築板(1A)裏側へ漏水したり、更には矢印ニ、ホに示すように下側の建築板(1A,1A) の下実(3,3) 上のコーキング材(15)の上辺を伝って下側左右の建築板(1A,1A) の下実(3) 端縁と上実(4) 根端との隙間Ｏ' から建築板(1A)裏面へ漏水したりすると言う問題点がある。
【０００８】
【課題を解決するための手段】
本発明は上記従来の課題を解決するための手段として、上側の辺に下実(3) を設け下側の辺に上実(4) と上実(4) 根端内側を奥に切欠いてその内側に内実(5) とを設け、左右方向の一辺に下実(3) を設け他辺に上実(4)とを設けた四辺相抉り加工を施した建築板(1A)の複数枚を下地に取付けた接合金具(6) によって接合しつゝ上下左右に張設する場合、該接合金具(6) は基台(7) と、該基台(7) 上に立設される止め板(8)と、該止め板(8) の両側に庇部(9A,9B) を差出しその下側に形成される実嵌合部(10A,10B) とからなり、上下に相隣合う一対の建築板(1A,1A) は内実(5,5) と下実(3,3) とを夫々該接合金具(6)の止め板(8) 両側の実嵌合部(10B) に嵌合しかつ上実(4) と下実(3) とを重ね合わせることによって接合され、少なくとも上下左右で相隣合う四枚の建築板(1A)の中心交角接合点Ｐにおける接合金具(6) の内実嵌合部(10B) からは接合される一対の建築板(1A,1A) の下実(3,3) と上実(4,4) との間に介在する遮水シート(18)を差出した建築板の接合構造を提供するものである。
【０００９】
【発明の実施の形態】
本発明の一実施例（実施例１）を図１〜図４に示す。図１に示すように、接合金具(6) の内実嵌合部(10B) 側（上側）の止め板(8)面と庇部(9B)下面に沿って遮水シート(18)の根端部が接着剤によって接着されている。該遮水シート(18)は軟質弾性体、例えば軟質なゴムまたはプラスチック、該ゴムまたはプラスチックの発泡体、該ゴムまたはプラスチックあるいは該ゴムまたはプラスチックの発泡体内に吸水性ポリマーを分散させた吸水性シート、ゴムあるいはプラスチックとアスファルト、ピッチ等の瀝青質材料との混合物、あるいは該混合物の発泡体等を材料とするが、発泡体の場合は独立気泡構造を有するものが望ましいが、半独立気泡構造または連続気泡構造を有するものでも上記瀝青質材料や軟質な合成樹脂を含浸させれば通水性がなくなり使用可能となる。
【００１０】
上記接合金具(6)は図２に示すように主として上下左右で相隣り合う四枚の建築板（外装材）(1A)の中心交角接合点Ｐにおいて，該四枚の建築板(1A)の接合固定に使用される。即ち図２に示すように下段左右一対の建築板(1A,1A) を相抉り接合し、該相抉り接合部分において、接合金具(6) を下地材(13)に釘(14)によって固定すると共に、該接合金具(6) の下実嵌合部(10A)に該下段左右の建築板(1A,1A) の下実(3,3) を夫々嵌合し、それから該接合金具(6) の遮水シート(18)を下方に曲げ垂らし、上方から左右一対の建築板(1A,1A) の内実(5) を該接合金具(6)の内実嵌合部(10B) に嵌合すると共に該建築板(1A,1A) 相互を相抉り接合する。
【００１１】
このようにして上下左右で相隣り合う四枚の建築板(1A)の中心交角接合点Ｐにおいて，該四枚の建築板(1A)は該接合金具(6)によって接合固定されるが、該接合部分において、図３に示すように該接合金具(6) の遮水シート(18)は下側の一対の建築板(1A,1A) の下実(3,3) と上側の一対の建築板(1A,1A) の上実(4,4) との間に挾圧される。この状態で該遮水シート(18)の先端が下側の建築板(1A)の下実(3) 根端まで達していることが望ましい。
【００１２】
上記接合構造において、上側の一対の建築板(1A,1A) の接合部の継目Ｓから浸入した雨水は、図４イに示すように左上側の建築板(1A)の下実(3) 上を流下するが、上記接合部分に至ると該接合金具(6) の遮水シート(18)によって遮断され、下方の建築板(1A)の表面側へ移行し流下排出される。したがって上記接合部分より下方には流下せず、また横方向にも分散されない。
【００１３】
かくして上側の左右一対の建築板(1A,1A) の内実(5,5) 端縁と下側の左右一対の建築板(1A,1A) の下実(3,3) の端縁との間の隙間Ｏや下側の左右一対の建築板(1A,1A) の下実(3) 端縁と上実(4) 根端との隙間Ｏ' には雨水が達しない。したがって該隙間Ｏ' ，Ｏ' から建築板(1A)裏側へ漏水することが防止される。
【００１４】
図５および図６には他の実施例（実施例２）の遮水シート(28)が示される。該遮水シート(28)は実施例１と同様な材料からなるが、根端部は該接合金具(6) の内実嵌合部(10B) の内側形状に沿った形状に成形されており、本体部分は二つ折りにされ、建築板(1A)を接合したとき圧接によって防水性が高められるようにされている。
【００１５】
本実施例においては、該接合金具(6) によって下側の左右一対の建築板(1A,1A) を接合固定した時点で該遮水シート(28)の根端部を該接合金具(6)の内実嵌合部(10B) に接着し、次いで上側の左右一対の建築板(1A,1A) の内実(5,5) を該接合金具(6) の内実嵌合部(10B)に嵌合する。勿論該遮水シート(28)は予め接合金具(6) の内実嵌合部(10B) に接着されているものであってもよい。
【００１６】
図７および図８には更に他の実施例（実施例３）の接合金具(36)と遮水シート(48)とが示される。該接合金具(36)は台形状の基台(37)と、該基台(37)上に切起し形成されている左右一対の止め板(38)と、各止め板(38)の上縁内側部分を一方に折曲げ形成されている庇部(39A) と、各止め板(38)の上縁外側部分を他方に折曲げ形成されている庇部(39B) とからなり、該庇部(39A) の下側には下実嵌合部(40A) 、該庇部(39B) の下側には内実嵌合部(40B) が形成されている。
【００１７】
一方遮水シート(48)は前実施例と同様な材料からなるが、該遮水シート(48)は該シート本体(48A) と、該シート本体(48A) に裏打ちされている係合板(48B) とからなり、該係合板(48B) はアルミニウム薄板、ステンレススチール薄板、ブリキ薄板等の金属薄板あるいはプラスチック薄板等を材料とし、該係合板(48B) は根端部において該接合金具(36)の内実嵌合部(40B) の内側形状に沿った形状に屈曲成形されており、該シート本体(48A) 根端部はしたがって該係合板(48B) の根端部形状にならった形状になっている。
【００１８】
本実施例においても、該接合金具(36)によって下側の左右一対の建築板(1A,1A) を接合固定した時点で該遮水シート(48)の根端部を該接合金具(36)の内実嵌合部(40B) に嵌着し、次いで上側の左右一対の建築板(1A,1A) の内実(5,5) を該接合金具(36)の内実嵌合部(40B) に嵌合する。本実施例の遮水シート(48)は係合板(48B) が裏打ちされているため、接合金具(36)の止め板(38)に切れ目があっても該係合板(48B) によって遮水シート(48)が撓むことが防止され防水を確実にする。
【００１９】
本発明においては、上記遮水シート(18,28,48)の表面および／または裏面に再湿性接着剤が塗布されてもよい。該再湿性接着剤とはポリビニルアルコール、カルボキシメチルセルロース、デキストリン、ポリエチレンオキサイド、水溶性アクリル樹脂等水溶性の接着剤であり、水と接触すると膨潤または溶解して建築板(1A)の下実(3) および／または上実(4) に粘着して該遮水シート(18,28,48)の遮水性（水密性）を向上せしめる。
【００２０】
上記実施例１，２，３の接合構造、および該接合構造において遮水シート(18,28,48)に再湿性接着剤（アクリル系）を塗布した場合について、ＪＩＳ−Ａ−１４１４に規定する水密試験を行なった結果、何れも漏水は観察されなかった。比較として実施例１，２において使用した接合金具(6) 、実施例３において使用した接合金具(36)を遮水シートを取付けずに使用した場合は、何れも交角接合点Ｐの箇所で若干の漏水がみられた。
【００２１】
【発明の効果】
本発明では四辺相抉り加工を施した建築板を使用するから、外観に優れた構築物が得られ、該建築板の接合部分、特に上下左右で相隣り合う四枚の建築板の中心交角接合点Ｐにおける接合部分において、接合金具から遮水シートを差出し、該遮水シートを該建築板の接合部分の下実と上実との間に挾圧せしめるから、該交角接合点Ｐにおける漏水が確実に防止される。
【図面の簡単な説明】
図１〜図４は実施例１に関するものである。
【図１】  遮水シート付接合金具の斜視図
【図２】  交角接合点付近の説明斜視図
【図３】  交角接合点付近の縦断面
【図４】  交角接合点付近の表面切欠き平面図
図５および図６は実施例２に関するものである。
【図５】  接合金具と遮水シートとの斜視図
【図６】  接合金具使用状態側面図
図７および図８は実施例３に関するものである。
【図７】  接合金具と遮水シートとの斜視図
【図８】  接合金具使用状態側面図
図９〜図１２は従来例を示すものである。
【図９】  建築板部分斜視図
【図１０】  接合金具斜視図
【図１１】  接合部分側断面図
【図１２】  左右建築板接合部分説明斜視図
図１３〜図１５は従来の改良に関するものである。
【図１３】  建築板の中間部分省略斜視図
【図１４】  交角接合点付近の平面図
【図１５】  交角接合点付近の表面切欠き平面図
【符号の説明】
1A                外装材（建築板）
3                 下実
4                 上実
5                 内実
6,36              接合金具
8,38              止め板
9A,9B,39A,39B     庇部
10A,10B,40A,40B   実嵌合部
18,28,48          遮水シート
【図１】
0003919914.tif 000002
【図２】
0003919914.tif 000003
【図３】
0003919914.tif 000004
【図４】
0003919914.tif 000005
【図５】
0003919914.tif 000006
【図６】
0003919914.tif 000007
【図７】
0003919914.tif 000008
【図８】
0003919914.tif 000009
【図９】
0003919914.tif 000010
【図１０】
0003919914.tif 000011
【図１１】
0003919914.tif 000012
【図１２】
0003919914.tif 000013
【図１３】
0003919914.tif 000014
【図１４】
0003919914.tif 000015
【図１５】
0003919914.tif 000016